(57)【特許請求の範囲】
【請求項１】
年令が変化した場合に変わるであろうと予測される体重の予測値及び各種の身体サイズの予測値を算出する身体サイズ算出システムであって、
複数人より収集された、年令、体重、前記身体サイズとを有する各個人身体情報の蓄積データベースを保存する格納手段と、
年令、体重、前記身体サイズとを有する個人身体情報を入力する個人身体情報入力手段と、
個人身体情報入力手段によって入力された個人身体情報のうち、新たに仮想年令を入力した際に変わるであろうと予測される体重、前記身体サイズを、前記格納手段に保存された前記蓄積データベースに基づいて算出する身体サイズ算出手段と、
前記身体サイズ算出手段により算出された前記体重の予測値、前記身体サイズの予測値を表示する表示手段と、を備え、
前記身体サイズ算出手段は、
前記仮想年令が入力された場合に、前記個人身体情報入力手段により入力された年令と同年令帯の個人身体情報を前記蓄積データベースより抽出し、抽出された前記個人身体情報に含まれる体重と身体サイズについてそれぞれの平均値を第１の平均値として算出し、かつ前記仮想年令と同年令帯の個人身体情報を前記蓄積データベースより抽出し、抽出された前記個人身体情報に含まれる体重と前記身体サイズについてそれぞれの平均値を第２の平均値として算出する平均値算出手段と、
前記平均値算出手段により算出された前記第１の平均値及び前記第２の平均値から前記第２の平均値の前記第１の平均値に対する比を計算し、前記第２の平均値の前記第１の平均値に対する比を、前記個人身体情報入力手段により入力された前記体重及び前記身体サイズに対しそれぞれ乗算することにより、前記体重の予測値、前記身体サイズの予測値を算出する第１の算出手段と、を有することを特徴とする身体サイズ算出システム。
【請求項２】
年令が変化した場合に変わるであろうと予測される体重の予測値及び各種の身体サイズの予測値を算出する身体サイズ算出システムであって、
複数人より収集された、年令、体重、前記身体サイズとを有する各個人身体情報の蓄積データベースを保存する格納手段と、
年令、体重、前記身体サイズとを有する個人身体情報を入力する個人身体情報入力手段と、
個人身体情報入力手段によって入力された個人身体情報のうち、新たに仮想年令を入力した際に変わるであろうと予測される体重、前記身体サイズを、前記格納手段に保存された前記蓄積データベースに基づいて算出する身体サイズ算出手段と、
前記身体サイズ算出手段により算出された前記体重の予測値、前記身体サイズの予測値を表示する表示手段と、を備え、
前記格納手段は、前記蓄積データベースより各年令帯ごとに抽出した各個人身体情報を元に算出された各平均値を含む平均値データベースを有し、
前記身体サイズ算出手段は、前記個人身体情報入力手段により入力された年令と同年令帯における前記個人身体情報の平均値としての第１の平均値と、前記仮想年令と同年令帯における前記個人身体情報の平均値としての第２の平均値とを前記平均値データベースより抽出し、前記第２の平均値の前記第１の平均値に対する比を計算し、前記第２の平均値の前記第１の平均値に対する比を前記個人身体情報入力手段により入力された前記体重及び前記身体サイズに対しそれぞれ乗算することにより前記体重の予測値、前記身体サイズの予測値を算出する第２の算出手段を有することを特徴とする身体サイズ算出システム。
【請求項３】
前記身体サイズは、トップバストサイズ、アンダーバストサイズ、ウエストサイズ、ヒップサイズとを有する請求項１〜２の何れか１項に記載の身体サイズ算出システム。
【請求項４】
前記蓄積データベースは時間経過に伴って順次更新され、前記格納手段に保存される請求項１〜３の何れか１項に記載の身体サイズ算出システム。
【請求項５】
前記個人身体情報はインターネットを介して入力され、前記体重、前記身体サイズの予測値はインターネットを介して出力され表示される請求項１〜４の何れか１項に記載の身体サイズ算出システム。
【発明の詳細な説明】
【０００１】
【発明の属する技術分野】
本発明は、年令、身長、体重、バストサイズ、ウエストサイズ、ヒップサイズなどから成る個人の身体情報を取り扱うシステムに関する。
【０００２】
【従来の技術】
多くの人がダイエットをするなど身体への関心が高まる今日において、女性は、自分の身体のサイズに関係する情報について、身長、体重、バストサイズ、ウエストサイズ、ヒップサイズなどを計測することにより、それらを知ることが可能であった。また、同世代の人のそれぞれの平均的なサイズについて知るこにより、自分の身体サイズとそれらとを比較することも可能であった。
【０００３】
【発明が解決しようとする課題】
しかしながら、自分の加齢に伴ってどのように自分の身体が現状から変化していくか、又は、ダイエットなどによって自分の体重が変化した場合、バストサイズ、ウエストサイズ、ヒップサイズがどのように変化していくか、といったことについては、自分で大方の予想をたてることができるくらいで、確かな裏付けのある情報を得ることができなかった。
【０００４】
そこで、本発明の目的は、ユーザーが自分の体重、身体サイズについて様々にシミュレートすることが可能な身体サイズ算出システムを提供することにある。
【０００５】
また、平均的で誤差の少ない、身体サイズについての予測値情報が得られる身体サイズ算出システムを提供することにある。
【０００６】
【課題を解決するための手段】
上記目的を達成するため、本発明による身体サイズ算出システムは、複数人より収集された、年令、体重、身体サイズとを有する各個人身体情報の蓄積データベースを保存する格納手段と、年令、体重、身体サイズとを有する個人身体情報を入力する個人身体情報入力手段と、個人身体情報入力手段によって入力された個人身体情報のうち、新たに仮想年令を入力した際に変わるであろうと予測される体重、身体サイズを、格納手段に保存された蓄積データベースに基づいて算出する身体サイズ算出手段と、身体サイズ算出手段により算出された体重の予測値、身体サイズの予測値を表示する表示手段とを備えたことを特徴とする。
【０００７】
このような身体サイズ算出システムによれば、自分の現在の体重、身体サイズから、更に年令を変化させた際に変わるであろうと予測される体重、身体サイズが算出されるので、ユーザーは自分の体重や身体サイズについて様々にシミュレートすることが可能となる。また、蓄積データベースを元に体重、身体サイズの予測値が算出されるので、より平均的で誤差の少ない情報が得られる。
【０００８】
身体サイズ算出手段は、仮想年令が入力された場合に、個人身体情報入力手段により入力された年令と同年令帯の個人身体情報を蓄積データベースより抽出し、抽出された個人身体情報に含まれる体重と身体サイズについての平均値を第１の平均値として算出し、かつ仮想年令と同年令帯の個人身体情報を蓄積データベースより抽出し、抽出された前記個人身体情報に含まれる体重と身体サイズについてそれぞれ平均値を第２の平均値として算出する平均値算出手段と、平均値算出手段により算出された第１の平均値及び第２の平均値から第２の平均値の第１の平均値に対する比を計算し、第２の平均値の第１の平均値に対する比を、個人身体情報入力手段により入力された体重及び身体サイズに対しそれぞれ乗算することにより体重及び身体サイズの予測値を算出する第１の算出手段とを有することが望ましい。
【０００９】
これにより、最初に入力した年令から新たに入力した仮想年令までの間に起こる体重、身体サイズについての一般的な変化の比率が、最初に入力した体重、身体サイズに対して乗算されるので、より平均的な予測値が算出される。
【００１０】
格納手段は、蓄積データベースより各年令帯ごとに抽出した各個人身体情報を元に算出された各平均値を含む平均値データベースを有し、身体サイズ算出手段は、個人身体情報入力手段により入力された年令と同年令帯における個人身体情報の平均値としての第１の平均値と、仮想年令と同年令帯における個人身体情報の平均値としての第２の平均値とを平均値データベースより抽出し、第２の平均値の第１の平均値に対する比を計算し、第２の平均値の第１の平均値に対する比を個人身体情報入力手段により入力された体重及び身体サイズに対しそれぞれ乗算することにより、体重の予測値及び身体サイズの予測値を算出する第２の算出手段とを有することが望ましい。これにより、ユーザーからの指示の度に平均値を算出する必要がなくなる。
【００１１】
また、本発明による身体サイズ算出システムは、複数人より収集された、年令、身長、体重、身体サイズとを有する各個人身体情報の蓄積データベースを保存する格納手段と、年令、身長、体重、身体サイズとを有する個人身体情報を入力する個人身体情報入力手段と、個人身体情報入力手段により入力された個人身体情報のうち、新たに仮想体重を入力した際に変わるであろうと予測される身体サイズを、格納手段により保存された蓄積データベースに基づいて算出する身体サイズ算出手段と、身体サイズ算出手段により算出された身体サイズの予測値を表示する表示手段とを備えたことを特徴とする。
【００１２】
このような身体サイズ算出システムによれば、自分の現在の体重、身体サイズから、更に体重を変化させた際に変わるであろうと予測される身体サイズが算出されるので、ユーザーは自分の身体サイズについて様々にシミュレートすることが可能となる。また、蓄積データベースを元に身体サイズの予測値が算出されるので、より平均的で誤差の少ない情報が得られる。
【００１３】
身体サイズ算出手段は、仮想体重が入力された場合に、個人身体情報入力手段によって入力された年令と同年令帯の個人身体情報を蓄積データベースより抽出し、抽出された個人身体情報から、身長、体重に対する身体サイズの関係を近似的に表す関係式を作成する関係式作成手段と、関係式作成手段により作成された関係式に、個人身体情報入力手段によって入力された身長、仮想体重を入力することにより、身体サイズの予測値を算出する第１の算出手段とを有することが望ましい。これにより、それまでに収集された蓄積データベースから関係式が作成されるので、より平均的な予測値が算出される。
【００１４】
格納手段は、蓄積データベースより各年令帯ごとに抽出した各個人身体情報を元に作成された、身長、体重に対する身体サイズの関係を近似的に表す各関係式を含む関係式データベースを有し、身体サイズ算出手段は、個人身体情報入力手段により入力された年令と同年令帯における関係式を関係式データベースより抽出し、個人身体情報入力手段により入力された身長、仮想体重を入力することにより、身体サイズの予測値を算出する第２の算出手段とを有することが望ましい。これにより、ユーザーからの指示の度に関係式を作成する必要がなくなる。
【００１５】
身体サイズは、例えば、トップバストサイズ、アンダーバストサイズ、ウエストサイズ、ヒップサイズとを有する。
【００１６】
蓄積データベースは時間経過に伴って順次更新され、格納手段に保存されることが望ましい。これにより、蓄積データベースは常にその時々（又は時代ごと）の人の身体的特徴或いは傾向を具現するものとなるので、その時代に適したより正確な予測値を算出することが可能となる。
【００１７】
個人身体情報はインターネットを介して入力され、体重、身体サイズの予測値はインターネットを介して出力され表示されてもよい。これにより、不特定多数の人がこのシステムを使用することが可能となる。
【００１８】
【発明の実施の形態】
以下、図面に従って本発明の実施形態を詳細に説明する。
【００１９】
図１は、実施の形態に係る身体サイズ算出システムの概略図である。この身体サイズ算出システム１はインターネット上のWebサーバーとして動作する。ユーザーの端末装置３はインターネットに接続されており、このWebサーバーに自由にアクセスできる。インターネットに接続可能な端末装置であれば、どの端末装置もこのシステムを利用できるため、このシステムはインターネットサーバー１つに対してインターネットに接続可能な不特定多数の端末装置の間で実現されている。
【００２０】
この身体サイズ算出システム１は、複数人より収集された、年令、身長、体重、トップバストサイズ、アンダーバストサイズ、ウエストサイズ、ヒップサイズから成る各個人身体情報の蓄積データベース２１を保存する格納手段１４と、年令、身長、体重、トップバストサイズ、アンダーバストサイズ、ウエストサイズ、ヒップサイズから成る個人身体情報を入力する個人身体情報入力手段１１と、個人身体情報入力手段１１により入力された個人身体情報のうち、年令、体重の何れかを変化させた際に変わるであろうと予測されるトップバストサイズ、アンダーバストサイズ、ウエストサイズ、ヒップサイズ（以後、まとめて身体サイズとする）を算出する身体サイズ算出手段１２と、身体サイズ算出手段１２により算出されたそれらの予測値を表示する表示手段１３とから構成されている。なお、年令を変化させた場合については、身体サイズに加えその年令における体重の予測値も算出される。身体サイズ算出手段１２は、格納手段１４に保存された蓄積データベース２１を元に、これらの予測値を算出する。
【００２１】
このシステム１により、ユーザーは現在の自分（例えば）の個人身体情報を入力し、それから、更に年令、体重を変化させた際に（変化させた年令、体重をそれぞれ仮想年令、仮想体重とする）変わるであろうと予測される体重、身体サイズが算出されるので、自分の体重、身体サイズについて様々にシミュレートすることが可能となっている。例えば、自分が５年後にはおおよそどのような身体サイズになっているか、またはダイエットをして５キロ痩せた場合、どのような身体サイズになっているかについて予測値を得ることができる。
【００２２】
図２は、蓄積データベースのサンプルを表す図である。上記した通り、蓄積データベース２１は、年令、身長、体重、トップバストサイズ、アンダーバストサイズ、ウエストサイズ、ヒップサイズから成る個人身体情報を複数人より収集したものである。この実施形態では、１０代後半から６０代までの２５００件以上のケースについて計測を行った結果得られたものが使用されている。上記した予測値は、このように、複数人より収集した蓄積データベース２１を元に算出されるため、一般的な傾向をふまえた平均的で誤差の少ない情報が得られる。また、この蓄積データベース２１は時間経過に伴って順次更新され、格納手段１４に保存される。このため、蓄積データベース２１は、その時代（又はその時々）の人の身体的特徴或いは傾向を具現するものとなり、より正確な予測値を算出することが可能となっている。因みに、蓄積データベース２１を更新した際には、更新された蓄積データベース２１を元に、後述する平均値データベース２２、関係式データベース２３も更新するものとする。この実施形態のようにインターネット上のWebサーバーとして動作するシステムの場合、蓄積データベース２１の更新はインターネットサーバー２内に格納されているこれらの情報を書き換えるだけで済み、各ユーザーに対するサポートなどを必要としない。
【００２３】
次に、身体サイズ算出手段１２の機能について説明する。身体サイズ算出手段１２は、年令を変化させた場合、体重を変化させた場合の何れに対しても身体サイズの予測値を算出することが可能である。最初に、年令が変化させられた場合の身体サイズ予測値の算出方法について述べる。
【００２４】
身体サイズ算出手段１２は平均値算出手段を有し、これにより、まずユーザーにより端末装置３から入力された年令と同年令の人についての体重、トップバストサイズ、アンダーバストサイズ、ウエストサイズ、ヒップサイズ各々のデータを蓄積データベース２１の中から抽出し、その平均値を計算する（これを第１の平均値とする）。身長の変化について考慮することも考えられるが、ここでは、簡単のため、身長は年令が変化しても変わらないものと考え考慮していない。続いて、平均値算出手段は、ユーザーにより指定された仮想年令と同年令の人についての体重、トップバストサイズ、アンダーバストサイズ、ウエストサイズ、ヒップサイズ各々のデータを同様に蓄積データベース２１の中から抽出し、その平均値を計算する（これを第２の平均値とする）。因みに、これらの平均値については蓄積データベース２１を元に年令ごとに予め計算し、平均値データベース２２として格納手段１４に記憶させておき、それを用いて体重の予測値、身体サイズの予測値を算出するように構成してもよい（平均値データベース２２を用いた体重の予測値、身体サイズの予測値の算出は、第２の算出手段により行われる）。図３は、平均値データベース２２のサンプルを表す図である。こうすることで、平均値算出手段はユーザーからの指示の度に平均値を算出する必要がなくなる。
【００２５】
身体サイズ算出手段１２は更に第１の算出手段を有し、これにより、第２の平均値÷第１の平均値を計算する。この第２の平均値÷第１の平均値は、ユーザーが入力した現在の年令から新たに指定した年令の間に生じる体重、各サイズの平均値を比によって示している。第１の算出手段は、更に、ユーザーが入力した現在の各サイズ、すなわち、体重、トップバストサイズ、アンダーバストサイズ、ウエストサイズ、ヒップサイズに対し、各サイズごとの第２の平均値÷第１の平均値を乗し、これにより、その新たな年令において変わっているであろうと予測される各サイズが算出される。
【００２６】
個人身体情報の入力は、端末装置用のモニターに示される画面（Webページ）を用いて行われる。図５は、端末装置のモニターに示される画面を表す図である。例えば、現在１８才の女性が先に説明する図５中のMy Size欄に示すような個人身体情報を持っていて、それをWebページから入力し、更に、自分が３０才になった時の自分の身体サイズを調べるべく、仮想年令として３０を入力したとする。この場合、図３の平均値データベース２２によると、体重、トップバストサイズ、アンダーバストサイズ、ウエストサイズ、ヒップサイズは、この間に比にして、それぞれ、50/49, 82/83, 76/75, 65/60, 90/85だけ変化することがわかる。これらの変化量を最初に入力した個人身体情報に対して乗算し、図５のAfter欄に示すような個人身体情報が得られる。なお、第２の平均値÷第１の平均値の代わりに第２の平均値−第１の平均値を求め、これをユーザーが入力した現在の各サイズに対して加算してもよい。
【００２７】
次に、体重が変化させられた場合の身体サイズ予測値の算出方法について述べる。身体サイズ算出手段１２は関係式作成手段を有し、これにより、ユーザにより端末装置３から入力された年令と同年令のケースについてのデータを蓄積データベース２１から抽出し、それらから、身長、体重（入力値）に対する各身体サイズ、すなわちトップバストサイズ、アンダーバストサイズ、ウエストサイズ、ヒップサイズ（出力値）の関係を近似的に表す関係式を求める。前述した身体サイズ算出手段１２の第１の算出手段は、この関係式に、最初に入力された身長、仮想体重をそれぞれ入力することにより、体重が変わった場合の各身体サイズ予測値を算出する。これらの式についても、蓄積データベース２１より年令ごとに予め関係式を作成し、関係式データベース２３として格納手段１４に記憶させておき、それを用いて身体サイズの予測値を算出するように構成してもよい（関係式データベース２３を用いた体重の予測値、身体サイズの予測値の算出は、第２の算出手段により行われる）。図４は、関係式データベース２３のサンプルを表す図である。身長、体重を入力値、トップバストサイズ、アンダーバストサイズ、ウエストサイズ、ヒップサイズを出力値とした場合の関係式が示されている。こうすることで、関係式作成手段はユーザーからの指示の度に関係式を作成する必要がなくなる。以下に、この関係式を求める方法について述べる。
【００２８】
身長についてはユーザーが入力した値からの変化はないと考え、算出すべきサイズ値は、トップバストサイズy1、アンダーバストサイズy2、ウエストサイズy3、ヒップサイズy4とする。これらy1〜y4の値は、全て、様々な高さにおける身体の周囲のサイズであるので、身長x1、体重x2に対して次のような関係がある程度想定される。すなわち、身長x1の高い人ほどこれらy1〜y4の値は大きくなると考えられ（ここでは示されないが、収集した蓄積データベース２１から、y1〜y4の増加分は身長の増加分に対しほぼ比例することがわかる）、また、体重の重い人ほどこれらy1〜y4の値は大きくなると考えられる（同様にここでは示されないが、収集した蓄積データベース２１から、y1〜y4の増加分は体重x2の増加分の２乗に対しほぼ比例することがわかる）。このようなことから、次のように関係式を予想することができる。
y1=f1(x1, x2):=ax1+bx2+c(x2)2+d  （a, b, c, dは定数）…（１）
y2=f2(x1, x2):=ex1+fx2+g(x2)2+h  （e, f, g, hは定数）…（２）
y3=f3(x1, x2):=jx1+kx2+m(x2)2+n  （j, k, m, nは定数）…（３）
y4=f4(x1, x2):=px1+qx2+r(x2)2+s  （p, q, r, sは定数）…（４）
【００２９】
以下に示す表１は、ある年令についての蓄積データベース２１をピックアップしたものである。各D***は、データ値を表すものとする。
【００３０】
【表１】
0003942351.tif 000002
（１）の式にこれらｎ個のデータを全て当てはめると、次のようなｎ個の式が得られる。
データ１：  D1y1=f1(D1x1, D1x2)=a D1x1+b D1x2+c(D1x2)2+d
データ２：  D2y1=f1(D2x1, D2x2)=a D2x1+b D2x2+c(D2x2)2+d
…
データｎ：  Dny1=f1(Dnx1, Dnx2)=a Dnx1+b Dnx2+c(Dnx2)2+d
【００３１】
これらのｎ個の連立方程式に対し、
【数１】
0003942351.tif 000003
を求め、最小２乗法を用いてこれが最小となるようにa, b, c, dを算出し、関係式（１）を完成することができる。（２）〜（４）に対しても同様の方法で計算することが可能である。
【００３２】
図５は、端末装置のモニターに示される画面を表す図である。ユーザーは、端末装置から、My Size欄に、年令(age)、身長(height)、体重(weight)、トップバストサイズ(top bust size)、アンダーバストサイズ(under bust size)、ウエストサイズ(waist size)、ヒップサイズ(hip size)から成る個人身体情報を入力したのち、上側のage欄あるいはweight欄に所望の仮想年令、仮想体重を入力し、changeボタンをクリックすると、After欄に、年令(age)、身長(height)、体重(weight)、トップバストサイズ(top bust size)、アンダーバストサイズ(under bust size)、ウエストサイズ(waist size)、ヒップサイズ(hip size)の予測算出結果が表示される。なお、上側のage欄、weight欄、また、After欄の各項目には、絶対値の他、増減値を入力してもよい。
【００３３】
図６は、本実施形態に係る身体サイズ算出システムをユーザーが利用する際の動作を示すフローチャートである。ステップ１０１で、ユーザーは端末装置３から身体サイズ算出システム１が動作するインターネット上のWebサーバーにアクセスする。ステップ１０２では、ユーザーは自分（例えば）の年令、身長、体重、トップバストサイズ、アンダーバストサイズ、ウエストサイズ、ヒップサイズとから成る個人身体情報を入力し、ステップ１０３では、ユーザーは、個人身体情報のうち年令、体重の何れかについて、その仮想年令、仮想体重を入力する。ここで、ユーザーは年令、体重、片方づつでも両方でも変更することが可能である。
【００３４】
ステップ１０４では、ステップ１０３で指定された仮想年令、仮想体重での各身体サイズ、すなわち、トップバストサイズ、アンダーバストサイズ、ウエストサイズ、ヒップサイズの予測値が、身体サイズ算出手段１２により算出される。仮想年令が入力された場合には体重についても算出される。ステップ１０５では、ステップ１０４で算出された各身体サイズが表示手段１３により端末装置３のモニターに表示される。ユーザーは、これにより自分の体重、各身体サイズについての予測値を知ることができる。実際の表示にあたっては、図５に示されるように、算出された値だけでなくユーザーの個人身体情報を全て表示するようにしてもよい。また、最初に入力した個人身体情報と、年令、体重を変化させた場合の個人身体情報とを共に表示し、このように変化したという点がはっきりわかるようにしてもよい。その後、ステップ１０６へ進み手続きは終了する。
【００３５】
本発明は、単に本発明を実施する最良の形態を示すに過ぎない前記実施の形態に限定されず、本発明の請求項の範囲内に該当する発明の全ての変更を包含し、構成、配置などについて変更が可能である。
【００３６】
例えば、身長、体重と、身体サイズの関係を表す関係式を（１）〜（４）の形を仮定したが、他の形でもよい。また、平均値、関係式は、年令ごとに求めたが、年令帯毎に（例えば、５才きざみ、１０才きざみ）で求めてもよい。
【００３７】
【発明の効果】
本発明による身体サイズ算出システムによれば、自分の現在の体重、身体サイズから、更に年令、体重を変化させた際に変わるであろうと予測される体重、身体サイズが算出されるので、ユーザーは自分の体重や身体サイズについて様々にシミュレートすることが可能となる。また、蓄積データベースを元に体重、身体サイズの予測値が算出されるので、より平均的で誤差の少ない情報が得られる。
【図面の簡単な説明】
【図１】図１は、実施の形態に係る身体サイズ算出システムの概略図である。
【図２】図２は、蓄積データベースのサンプルを表す図である。
【図３】図３は、平均値データベース２２のサンプルを表す図である。
【図４】図４は、関係式データベース２３のサンプルを表す図である。
【図５】図５は、端末装置のモニターに示される画面を表す図である。
【図６】図６は、本実施形態に係る身体サイズ算出システムをユーザーが利用する際の動作を示すフローチャートである。
【符号の説明】
１…身体サイズ算出システム、２…インターネットサーバー、３…端末装置、１１…個人身体情報入力手段、１２…身体サイズ算出手段、１３…表示手段、１４…格納手段、２１…蓄積データベース、２２…平均値データベース、２３…関係式データベース。
【図１】
0003942351.tif 000004
【図２】
0003942351.tif 000005
【図３】
0003942351.tif 000006
【図４】
0003942351.tif 000007
【図５】
0003942351.tif 000008
【図６】
0003942351.tif 000009